(57)【要約】【課題】本発明の課題は、原稿サイズによらず、第２原稿トレイ部から搬送されてきた原稿束を第１原稿トレイ部の原稿セット位置まで搬送できる自動原稿搬送装置と、この自動原稿搬送装置を備えた画像形成装置を得ることである。【解決手段】本発明に係る自動原稿搬送装置８２は、第２原稿ストッパ（原稿ストッパ）４は原稿束先端を受ける当接位置Ｍと当接位置Ｍから退避した退避位置Ｎとの間を変位するものであり、第１原稿トレイ部１にセットされた原稿束が搬送されたときに、第２原稿ストッパ４が当接位置Ｍから退避位置Ｎへ変位して、第１搬送部５及び第２搬送部６により原稿束を第２原稿セット位置Ｒから第１原稿セット位置Ｑまで搬送するようにしている。【選択図】図１
2009298549.tif 000002
【特許請求の範囲】
【請求項１】
原稿トレイにセットされた原稿を画像読取位置に搬送した後排出する自動原稿搬送装置であって、原稿トレイは、第１原稿セット位置を有する第１原稿トレイ部と、第２原稿セット位置を有し且つ第１原稿トレイ部に供給する原稿束がセットされる第２原稿トレイ部とから構成されており、第１原稿トレイ部は、第２原稿トレイ部から搬送されてきた原稿束を第１原稿セット位置まで搬送する第１搬送部を備え、第２原稿トレイ部は、第２原稿セット位置にセットする原稿束の先端を受ける原稿ストッパと、第２原稿セット位置にセットされた原稿束を第１原稿トレイ部に搬送する第２搬送部とを備え、原稿ストッパは原稿束先端を受ける当接位置と当接位置から退避した退避位置との間を変位するものであり、第１原稿トレイ部にセットされた原稿束が搬送されたときに、原稿ストッパが当接位置から退避位置へ変位して、第１搬送部及び第２搬送部により原稿束を第２原稿セット位置から第１原稿セット位置まで搬送することを特徴とする自動原稿搬送装置。
【請求項２】
第１原稿トレイ部上の原稿の有無を検知する第１原稿センサと、第２原稿トレイ部上の原稿の有無を検知する第２原稿センサとを備え、第１原稿センサが検知状態であり且つ第２原稿センサが非検知状態であるときに原稿ストッパを退避位置から当接位置へ変位させた後、第１原稿センサが非検知状態になり且つ第２原稿センサが検知状態になったときに原稿ストッパを当接位置から退避位置へ変位させて、第１搬送部及び第２搬送部により第２原稿セット位置にセットされた原稿束を第１原稿セット位置まで搬送することを特徴とする請求項１に記載の自動原稿搬送装置。
【請求項３】
第２原稿トレイ部は補助トレイ部を備え、補助トレイ部は、第２原稿トレイ部本体に収納される収納位置又は第２原稿トレイ部本体に折り畳んで重ねられる折り畳み位置と、第２原稿トレイ部の原稿載置面積を増大する面積増大位置との間を変位することを特徴とする請求項１又は２に記載の自動原稿搬送装置。
【請求項４】
第１原稿トレイ部にセットされた原稿の側端を整合する一対の第１サイドフェンスと、第２原稿トレイ部にセットされた原稿の側端を整合する一対の第２サイドフェンスと、第１サイドフェンスを原稿幅方向に移動させる移動部と、第１サイドフェンスの原稿幅方向における位置を検知する第１サイドフェンスセンサと、第２サイドフェンスの原稿幅方向における位置を検知する第２サイドフェンスセンサとを備え、第１原稿センサが検知状態から非検知状態になり且つ第２原稿センサが非検知状態から検知状態になったときに、第１サイドフェンスと第２サイドフェンスとの位置が異なる場合に、第１サイドフェンスを第２サイドフェンスと同じ位置に移動させることを特徴とする請求項２又は３に記載の自動原稿搬送装置。
【請求項５】
請求項１〜４の何れか一項に記載の自動原稿搬送装置を備え、この自動原稿搬送装置により搬送した原稿の画像を読み取り、読み取った画像を記録媒体に形成することを特徴とする画像形成装置。
【発明の詳細な説明】
【技術分野】
【０００１】
本発明は、原稿トレイにセットされた原稿を画像読取位置に搬送した後排出する自動原稿搬送装置と、この自動原稿搬送装置を備えた画像形成装置に関する。
【背景技術】
【０００２】
特許文献１には、原稿トレイにセットされた原稿を画像読取位置に搬送した後排出する自動原稿搬送装置が開示されている。この自動原稿搬送装置においては、原稿トレイが、第１原稿トレイ部と、第１原稿トレイ部に供給する原稿がセットされる第２原稿トレイ部とから構成されている。そして、第１原稿トレイ部の原稿セット位置にセットされた原稿の搬送が終了すると、第２原稿トレイ部に設けた搬送部により、第２原稿トレイ部から第１原稿トレイ部に原稿が搬送されるようになっている。
【０００３】
【特許文献１】特開平９−４３９１４号公報
【発明の開示】
【発明が解決しようとする課題】
【０００４】
しかし、この搬送部は、原稿束後端に当接するフェンスが第２原稿トレイ部の後端から前端まで移動して原稿束を押し出す構成となっている。このため、第１原稿トレイ部の原稿搬送方向の寸法よりも原稿搬送方向の寸法が短い原稿束が第２原稿トレイ部から搬送されてきた場合には、この原稿束を第１原稿トレイ部の原稿セット位置まで搬送できない問題があった。
【０００５】
そこで、本発明は、原稿サイズによらず、第２原稿トレイ部から搬送されてきた原稿束を第１原稿トレイ部の原稿セット位置まで搬送できる自動原稿搬送装置と、この自動原稿搬送装置を備えた画像形成装置を得ることを目的とする。
【課題を解決するための手段】
【０００６】
前記課題を解決するために、請求項１に記載された発明は、原稿トレイにセットされた原稿を画像読取位置に搬送した後排出する自動原稿搬送装置であって、原稿トレイは、第１原稿セット位置を有する第１原稿トレイ部と、第２原稿セット位置を有し且つ第１原稿トレイ部に供給する原稿束がセットされる第２原稿トレイ部とから構成されており、第１原稿トレイ部は、第２原稿トレイ部から搬送されてきた原稿束を第１原稿セット位置まで搬送する第１搬送部を備え、第２原稿トレイ部は、第２原稿セット位置にセットする原稿束の先端を受ける原稿ストッパと、第２原稿セット位置にセットされた原稿束を第１原稿トレイ部に搬送する第２搬送部とを備え、原稿ストッパは原稿束先端を受ける当接位置と当接位置から退避した退避位置との間を変位するものであり、第１原稿トレイ部にセットされた原稿束が搬送されたときに、原稿ストッパが当接位置から退避位置へ変位して、第１搬送部及び第２搬送部により原稿束を第２原稿セット位置から第１原稿セット位置まで搬送することを特徴とする。
【０００７】
請求項２に記載された発明は、請求項１に記載の発明において、第１原稿トレイ部上の原稿の有無を検知する第１原稿センサと、第２原稿トレイ部上の原稿の有無を検知する第２原稿センサとを備え、第１原稿センサが検知状態であり且つ第２原稿センサが非検知状態であるときに原稿ストッパを退避位置から当接位置へ変位させた後、第１原稿センサが非検知状態になり且つ第２原稿センサが検知状態になったときに原稿ストッパを当接位置から退避位置へ変位させて、第１搬送部及び第２搬送部により第２原稿セット位置にセットされた原稿束を第１原稿セット位置まで搬送することを特徴とする。
【０００８】
請求項３に記載された発明は、請求項１又は請求項２に記載の発明において、第２原稿トレイ部は補助トレイ部を備え、補助トレイ部は、第２原稿トレイ部本体に収納される収納位置又は第２原稿トレイ部本体に折り畳んで重ねられる折り畳み位置と、第２原稿トレイ部の原稿載置面積を増大する面積増大位置との間を変位することを特徴とする。
【０００９】
請求項４に記載された発明は、請求項２又は３に記載の発明において、第１原稿トレイ部にセットされた原稿の側端を整合する一対の第１サイドフェンスと、第２原稿トレイ部にセットされた原稿の側端を整合する一対の第２サイドフェンスと、第１サイドフェンスを原稿幅方向に移動させる移動部と、第１サイドフェンスの原稿幅方向における位置を検知する第１サイドフェンスセンサと、第２サイドフェンスの原稿幅方向における位置を検知する第２サイドフェンスセンサとを備え、第１原稿センサが検知状態から非検知状態になり且つ第２原稿センサが非検知状態から検知状態になったときに、第１サイドフェンスと第２サイドフェンスとの位置が異なる場合に、第１サイドフェンスを第２サイドフェンスと同じ位置に移動させることを特徴とする。
【００１０】
請求項５に記載された発明は、請求項１〜４の何れか一項に記載の自動原稿搬送装置を備え、この自動原稿搬送装置により搬送した原稿の画像を読み取り、読み取った画像を記録媒体に形成することを特徴とする画像形成装置である。
【発明の効果】
【００１１】
本発明によれば、第１原稿トレイ部１に第１搬送部を設けているので、原稿サイズによらず、第２原稿トレイ部から搬送されてきた原稿束を第１原稿セット位置まで搬送できる。
【発明を実施するための最良の形態】
【００１２】
以下に、添付図面を参照して本発明の第１実施の形態を詳細に説明する。尚、図１は本実施の形態に係る自動原稿搬送装置の概略的構成を示す縦断面図であり、図２は本実施の形態に係る自動原稿搬送装置の制御を示すフローチャートであり、図３は本実施の形態に係る自動原稿搬送装置の制御の構成を示すブロック図であり、図４は本実施の形態に係る画像形成装置の概略的構成を示す斜視図である。
【００１３】
本実施の形態に係る画像形成装置８１は、複写機であり、図４に示すように、自動原稿搬送装置８２と、自動原稿搬送装置８２により搬送された原稿の画像を読み取る画像読取部８３と、画像読取部８３により読み取られた原稿の画像を記録媒体に形成する画像形成部８５と、画像形成部８５に供給する記録媒体を収容する給紙カセット８６と、画像形成部８５により画像形成された記録媒体が排出される排紙部８７とを備えている。
【００１４】
自動原稿搬送装置８２は、画像形成装置８１の上部にヒンジにより開閉可能に設けられている。自動原稿搬送装置８２には、図１に示すように、原稿（用紙）が複数枚重なって束となった原稿束が差し込んでセットされる原稿トレイ９１が設けられている。原稿トレイ９１の原稿搬送方向下流側には、原稿トレイ９１にセットされた原稿束を送り出す呼び出しローラ２１と、呼び出しローラ２１により送り出された原稿束から最上紙のみを分離して給送する分離給紙部４０とが設けられている。分離給紙部４０の下流側には、分離給紙部４０により給送された原稿を画像読取位置２６に案内する第１搬送路Ａと、画像読取位置２６を通過した原稿を下流側に案内する第２搬送路Ｂとが設けられている。第２搬送路Ｂの下流側には、第２搬送路Ｂによって案内された原稿の搬送先を切り換える切換爪１１と、切換爪１１によって案内された原稿をスタックする排出部２８と、切換爪１１によって案内された原稿をスイッチバックする反転ローラ対１２とが設けられている。切換爪１１の先端付近から第１搬送路Ａまでには、スイッチバックした原稿を第１搬送路Ａに合流させる第３搬送路Ｃが設けられている。第１搬送路Ａには原稿を下流側に搬送するプルアウトローラ対２４及び読取り前ローラ対２５が設けられている。第２搬送路Ｂの下流側には、排紙ローラ２７が設けられている。
【００１５】
原稿トレイ９１は、原稿搬送方向の下流側程下がるように緩やかに傾斜して配置されている。原稿トレイ９１は、第１原稿セット位置Ｑを有する第１原稿トレイ部１と、第２原稿セット位置Ｒを有し且つ第１原稿トレイ部１に供給する原稿束がセットされる第２原稿トレイ部２とから構成されている。
【００１６】
第２原稿トレイ部２は、第１原稿トレイ部１の原稿搬送方向上流側に直列に配置されている。第１原稿トレイ部１と第２原稿トレイ部２は、各々の原稿載置面が同一平面に含まれるように配置されている。
【００１７】
第１原稿トレイ部１の原稿搬送方向における寸法は、Ａ４サイズ用紙の長手方向の寸法よりも長く且つＢ４サイズ用紙の長手方向の寸法よりも短くなっている。第２原稿トレイ部２の原稿搬送方向における寸法は、Ｂ５サイズ用紙の長手方向の寸法よりも長く且つＡ４サイズ用紙の長手方向の寸法よりも短くなっている。
【００１８】
第１原稿トレイ１には、第２原稿トレイ部２から供給された原稿束を第１原稿セット位置Ｑに搬送する第１搬送部５と、原稿束の側端を整合する一対の第１サイドフェンス７а、７ｂとが設けられている。
【００１９】
第１搬送部５は、駆動ローラ５аと、駆動ローラ５аの原稿搬送方向上流側に配置された従動ローラ５ｂと、これらのローラに巻き掛けられた搬送ベルト５ｃとから構成されている。
【００２０】
駆動ローラ５аは、その軸が第１原稿トレイ部１の外郭の内側に配置されており、外周面の一部（上部）が第１原稿トレイ部１の原稿載置面から外方に突出している。従動ローラ５ｂは、その軸が第１原稿トレイ部１の外郭の内側に配置されており、外周面の最上部が第１原稿トレイ部１の原稿載置面と面一になっている。これにより、搬送ベルト５ｃは第１原稿トレイ部１上にある原稿束の下面に当接するようになっている。
【００２１】
サイドフェンス７а、７ｂ同士は、リンク機構により連結されており、互いに近づく向き又は互いに遠ざかる向きに移動自在となっている。リンク機構は、ピニオンとこのピニオンに挟み込むように歯合する一対のラックとから構成されている。
【００２２】
第１原稿トレイ部１と分離給紙部４０との間には、第１原稿トレイ部１にセットする原稿束の先端を受ける第１原稿ストッパ３と、第１原稿トレイ部１上の原稿の有無を検知する第１原稿センサ３１とが設けられている。尚、第１原稿センサ３１は後述するＣＰＵ３５に接続されている。第１原稿セット位置Ｑとは、原稿束先端が第１原稿ストッパ３に突き当たっているときの原稿束の位置である。
【００２３】
第１原稿ストッパ３は、原稿束先端に当接する当接位置と、この当接位置から退避する退避位置とに回動可能となっており、回動機構により回動（変位）するようになっている。
【００２４】
回動機構は、モータと第１原稿ストッパ３とを、ギヤ、トルクリミッタ等を介して連結させたものである。尚、第１原稿ストッパ３は、後述するＣＰＵ３５により制御されるようになっている。
【００２５】
第２原稿トレイ部２には、第２原稿トレイ部２にセットする原稿束の先端を受ける第２原稿ストッパ４と、第２原稿トレイ部２上の原稿の有無を検知する第２原稿センサ３２と、第２原稿トレイ部２にセットされた原稿束を第１原稿トレイ部１に搬送する第２搬送部６と、原稿束の側端を整合する一対の第２サイドフェンス８а、８ｂとが設けられている。尚、第２原稿センサ３２は、後述するＣＰＵ３５に接続されている。
【００２６】
第２原稿ストッパ４は、第２原稿トレイ部２の前端部（原稿搬送方向下流側の端部）に設けられており、原稿先端を受ける当接位置Ｍ（第２原稿トレイ部２の原稿載置面から突出する位置）と、この当接位置Ｍから退避する退避位置Ｎとに回動可能となっており、回動機構により回動（変位）するようになっている。尚、第２原稿ストッパ４は、初期状態で退避位置Ｎに位置しており、後述するＣＰＵ３５により制御されるようになっている。第２原稿セット位置Ｒとは、原稿束先端が第２原稿ストッパ４に突き当たっているときの原稿束の位置である。第２原稿ストッパ４の回動機構は、第１原稿ストッパ３の回動機構と同様の構成である。
【００２７】
第２搬送部６は、原稿搬送方向に沿って互いに間隔を空けて配置された２つの搬送ローラ６а、６ｂにより構成されている。搬送ローラ６а、６ｂは、各々、その軸が第２原稿トレイ部２の外郭の内側に配置されており、外周面の一部（上部）が第２原稿トレイ部２の原稿載置面から外方に突出している。これにより、搬送ローラ６а、６ｂは、第２原稿トレイ部２上の原稿束の下面に当接するようになっている。
【００２８】
第２サイドフェンス８а、８ｂの構成は、第１サイドフェンス７а、７ｂの構成と同様である。
【００２９】
呼び出しローラ２１は、支持部材５５の一端部に軸支されている。支持部材５５の他端部は軸支されており、支持部材５５は、この軸を支点に回動可能となっている。これにより、呼び出しローラ２１は、原稿束上方の待機位置と原稿束上面に当接する当接位置との間を移動可能となっている。尚、呼び出しローラ２１は、第１原稿ストッパ３よりも原稿搬送方向上流側に位置している。
【００３０】
分離給紙部４０は、給紙ローラ２２と、給紙ローラ２２に下側から当接する分離パッド２３とから構成されている。給紙ローラ２２は、支持部材５５の他端部に軸支されている。分離パッド２３は、一端を軸支されて回動自在になっており、他端をコイルスプリング１４により給紙ローラ２２側に常時付勢されている。即ち、分離給紙部４０は、給紙ローラ２２と分離パッド２３との間に案内された原稿束から最上紙を分離して給送するようになっている。
【００３１】
ＣＰＵ３５は、図３に示すように、第１原稿センサ３１、第２原稿センサ３２及び画像形成装置本体の操作部３７からの信号を受信して、処理内容を第１搬送部５、第２搬送部６、第１原稿ストッパ３及び第２原稿ストッパ４に送信するようになっている。
【００３２】
本実施の形態に係る自動原稿給送装置８２の動作を、図１及び図２を参照して説明する。先ず、第１原稿トレイ部１にＡ４サイズの原稿束Ｇ１をセットする。原稿束Ｇ１のセットは、原稿束Ｇ１の長手方向における一端（先端）を当接位置にある第１原稿ストッパ３に突き当てた後、第１サイドフェンス７а、７ｂを手動で動かして原稿束Ｇ１の側端を揃えることにより行う。第１原稿トレイ部１に原稿束Ｇ１がセットされると、第１原稿センサ３１が検知状態となる（Ｓ１においてＹＥＳ）が、第２原稿センサ３２は非検知状態のままである（Ｓ２においてＮＯ）。
【００３３】
画像形成装置８１の操作部３７からの給紙開始信号を受けて、呼び出しローラ２が待機位置から下降し原稿束Ｇ１に圧接した後、第１原稿ストッパ３が退避位置に移動して、原稿束Ｇ１は呼び出しローラ２の回転とともに、分離給紙部４０に向けて送り出される。分離給紙部４０で原稿束の最上紙のみが分離されて、画像読取位置２６に向けて給送される。
【００３４】
一方、画像形成装置８１の操作部３７からの給紙開始信号を受けて（Ｓ３においてＹＥＳ）、第２原稿ストッパ４が退避位置Ｎから当接位置Ｍへ回動する（Ｓ４）。ここで、第２原稿トレイ部２にＡ４サイズの原稿束Ｇ２を原稿束Ｇ１と同様にセットする。第２原稿トレイ部２に原稿束Ｇ２がセットされると、第２原稿センサ３２が検知状態となる（Ｓ５においてＹＥＳ）。
【００３５】
第１画像面のみの読み取り（片面モード）の場合は、原稿は画像読取位置２６にて画像情報を読み取られた後、第２搬送路Ｂを通過し、原稿排出位置にある切換爪１１（図１において実線で示した位置にある切換爪１１）に案内されて排出部２８に排出される。
【００３６】
原稿の両面読み取り（両面モード）の場合、原稿は第１画像面を読み取るべく、第１搬送路Ａを通って、画像読取位置２６にて画像情報が読み取られる。画像読取り後は、第２搬送路Ｂを通り、原稿反転位置にある切換爪１１（図１において二点鎖線の位置にある切換爪１１）により反転ローラ対１２のニップに案内されて、正回転（時計方向に回転）する反転ローラ対１２により下流側に搬送される。
【００３７】
第２画像面の読取り後そのまま原稿を排出する場合は、原稿は反転ローラ対１２の逆回転（反時計方向の回転）によってスイッチバックされ、原稿排出位置にある切換爪１１に案内されて第３搬送路Ｃへと送られる。原稿は、排紙ローラ２７の回転によって、第３搬送路Ｃを通り、第１搬送路Ａを経て、第２画像面を画像読取位置２６にて読み取られ、第２搬送路Ｂを経て排出部２８へ排出される。
【００３８】
第２画像面の読取り後、再度反転してページ順序を合わせる場合は、原稿は、第２画像面が読み取られた後、第２搬送路Ｂを経て、原稿反転位置にある切換爪１１により反転ローラ対１２のニップに案内される。そして、反転ローラ対１２により再びスイッチバックされて、第３搬送路Ｃから第１搬送路Ａに向けて搬送される。第１搬送路Ａ及び第２搬送路Ｂを通過した原稿は、原稿排出位置にある切換爪１１に案内されて排出部２８へ送られて、原稿のページ順序が合わせられる。
【００３９】
そして、第１原稿セット位置Ｑにセットされた原稿束Ｇ１の最後の原稿の後端が、第１原稿センサ３１に対向する位置を通過したタイミングで、第１原稿センサ３１が検知状態から非検知状態になる（Ｓ６においてＮＯ）。第２原稿ストッパ４が当接位置Ｍから退避位置Ｎへ回動した（Ｓ７）後、第１搬送部５及び第２搬送部６が駆動されて（Ｓ８）、原稿束Ｇ２が第２原稿トレイ部２から第１原稿セット位置Ｑに向けて搬送される。原稿束Ｇ２が第１原稿セット位置Ｑに搬送されると、第２原稿センサ３２が検知状態から非検知状態になった（Ｓ９においてＮＯ）後、第１原稿センサ３１が非検知状態から検知状態になる（Ｓ１０においてＹＥＳ）。そして、第１搬送部５及び第２搬送部６の駆動が停止された（Ｓ１１）後、第２原稿ストッパ４が退避位置Ｎから当接位置Ｍへ回動する（Ｓ１２）。原稿束Ｇ２は原稿束Ｇ１と同様に、一枚ずつ画像読位置２６に搬送されて、画像を読み取られた後、排出部２８に排出される。
【００４０】
第２原稿ストッパ４が退避位置Ｎから当接位置Ｍへ回動してから、第２原稿トレイ部２にＡ４サイズの原稿束をセットすると、第２原稿センサ３２が非検知状態から検知状態となる（Ｓ１３においてＹＥＳ）。以後、フローはＳ６に戻り、上記と同様にこの原稿束を一枚ずつ画像読取位置２６に連続して搬送することができる。
【００４１】
以上は、初めにＡ４サイズの原稿束Ｇ１を第１原稿トレイ部１にセットした後、Ａ４サイズの原稿束Ｇ２を第２原稿トレイ部２にセットした例を説明したが、初めにＡ４サイズよりも小さいサイズの原稿束を第１原稿トレイ部１にセットした後、これと同サイズの原稿束を第２原稿トレイ部２にセットする場合も同様に、原稿を連続して画像読取位置２６に搬送することができる。
【００４２】
また、初めにＢ４サイズ以上の大きさの原稿束を、第１原稿セット位置Ｑに且つ第１原稿トレイ部１と第２原稿トレイ部２とに跨いでセットした場合は、第１原稿センサ３１が検知状態となり（Ｓ１でＹＥＳ）且つ第２原稿センサ３２が検知状態になり（Ｓ２でＮＯ）、第２原稿ストッパ４は、終始退避位置Ｎに位置した状態で、この原稿束が搬送されることになる。
【００４３】
尚、画像形成装置８１においては、給紙カセット８６から画像形成部８５に記録媒体が搬送される。画像形成部８５において、画像読取部８３により読み取られた原稿の画像が記録媒体に形成される。画像形成された記録媒体は、排紙部８７に排出される。
【００４４】
本実施の形態の作用効果を説明する。本実施の形態によれば、第１原稿トレイ部１に第１搬送部５を設けているので、原稿サイズによらず、第２原稿トレイ部２から搬送されてきた原稿を第１原稿セット位置Ｑまで搬送できる。
【００４５】
第１原稿トレイ部１にセットされた原稿束が搬送されたときに、第２原稿ストッパ４が当接位置Ｍから退避位置Ｎに回動した後、第１搬送部５及び第２搬送部６が駆動されるので、第２原稿セット位置Ｒから第１原稿セット位置Ｑまで自動的に原稿束を搬送することができる。
【００４６】
上述の効果と同様な効果を奏する自動原稿搬送装置８２を備えた画像形成装置８１を提供できる。
【００４７】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００４８】
第２実施の形態を、図５を参照して説明する。尚、図６は本実施の形態に係る自動原稿搬送装置の概略的構成を示す縦断面図である。本実施の形態では、図５に示すように、第１原稿トレイ部１の原稿搬送方向における寸法がＡ３サイズの用紙の長手方向の寸法よりも長くなっている。
【００４９】
また、第２原稿トレイ部２は、第１原稿トレイ部１の中央部から後部にかけての上方に且つ第１原稿トレイ部１に支持部材を介して設けられている。第２原稿トレイ部２は、第１原稿トレイ部１よりも、前下がりに（原稿搬送方向下流側程下がるように）急傾斜して配置されている。
【００５０】
本実施の形態では、第１原稿トレイ部１にセットされたＡ３サイズの原稿束Ｈ１が搬送された後、第２原稿ストッパ４が当接位置Ｍから退避位置Ｎに回動して、第２原稿トレイ部２にセットされたＡ４サイズの原稿束Ｈ２が、図５の二点鎖線Ｕの経路で第１原稿トレイ部１に搬送される。
【００５１】
第２原稿ストッパ４は、当接位置（第２原稿トレイ部２に立設状態の位置）Ｍから退避位置Ｎにかけて９０度以上前側に回動して、退避位置Ｎにおいて第２原稿トレイ部２よりもやや前下がりに傾斜した状態を維持し、原稿束を第１原稿トレイ部１に案内するガイドとなる。
【００５２】
本実施の形態によれば、第２原稿トレイ部２を第１原稿トレイ１の上方に設けているので、装置を原稿搬送方向に大型化することなく、第１原稿トレイ部１の原稿搬送方向における寸法を長くすることができる。従って、第１原稿トレイ部１に大型の原稿（Ｂ４サイズ以上の原稿）の束を最初にセットしてから、第２原稿トレイ部２に小型の原稿（Ａ４サイズ以下の原稿）の束をセットして、第１原稿トレイ部１と第２原稿トレイ部２にセットした原稿束を連続的に搬送できる。
【００５３】
第２原稿トレイ部２から第１原稿トレイ部１に原稿束が搬送されるときに、当接位置Ｍに位置する第２原稿ストッパ４が、前側に倒れるように回動して、退避位置Ｎにおいて第２原稿トレイ部２よりもやや前下がりに傾斜した状態を維持するので、原稿束を第１トレイ部にスムーズに搬送することができる。
【００５４】
第３実施の形態を、図６を参照して説明する。尚、図６は本実施の形態に係る自動原稿搬送装置の概略的構成を示す縦断面図である。
【００５５】
第１原稿トレイ部１と第２原稿トレイ部２とを直列に配置し、各原稿トレイ部にセットした原稿束を連続して搬送する場合には、第１原稿ストッパ３から第２原稿ストッパ４までの距離よりも原稿搬送方向の寸法が長い原稿束を連続して搬送することはできない。このため、第１原稿トレイ部１は大きいことが望ましいが、装置の大型化を避けるため、原稿トレイ９１全体の大きさは変えずに第１原稿トレイ１を大きくしようとすると第２原稿トレイ２が小さくなってしまい、第２原稿トレイ部２にセットできる原稿束のサイズが限られてしまう。
【００５６】
そこで、本実施の形態では、第２原稿トレイ部本体２аに折り畳んで重ねられる補助トレイ部９を設けている。補助トレイ部９は、第２原稿トレイ部本体２аの後端部に設けられた軸４３に基端が支持されており、第２原稿トレイ部２の原稿載置面積を増大する面積増大位置Ｘと、第２原稿トレイ部本体２аに折り畳んで重ねられる折り畳み位置Ｙとの間を回動可能となっている。補助トレイ部９は、面積増大位置Ｘにおいて及び折り畳み位置Ｙにおいて位置を保持できるようになっている。
【００５７】
補助トレイ部９の寸法は、第１原稿ストッパ３から第２原稿ストッパ４までの距離をＬ１、第２原稿ストッパ４から補助原稿トレイ９先端までの長さをＬ２とすると、Ｌ１とＬ２が同じ、若しくはＬ１がＬ２よりも若干長くなるように構成することが望ましい。
【００５８】
本実施の形態によれば、補助トレイ部９を面積増大位置Ｘに位置させることにより、第２原稿トレイ部２に又は第１原稿トレイ部１から第２原稿トレイ部２に亘って大きなサイズの原稿をセットできる一方、補助トレイ部９を折り畳み位置Ｙに位置させることにより装置を小型にして使用することができる。
【００５９】
第４実施の形態を、図７及び図８を参照して説明する。尚、図７は本実施の形態に係る第１サイドフェンス７а、７ｂの移動部の構成を示す斜視図であり、図８は本実施の形態に係る自動原稿給送装置の制御の構成を示すブロック図である。
【００６０】
第１実施の形態においては、第１原稿トレイ部１と第２原稿トレイ部２に異なる幅の原稿束をセットして連続搬送しようとすると、第２原稿トレイ部２上の原稿束が第１原稿トレイ部１上の原稿束よりも幅方向に大きい場合には、第１サイドフェンス７に突き当たってしまい搬送できなくなる。一方、第２原稿トレイ部２上の原稿束が第１原稿トレイ部１上の原稿束よりも幅方向に小さい場合には、原稿束が側端の整合をされずに第１原稿トレイ部１に搬送されてしまい傾いた状態で第１原稿セット位置Ｑにセットされてしまうおそれがある。
【００６１】
そこで、本実施の形態では、図７に示すように、第１サイドフェンス７а、７ｂを原稿幅方向に移動させる移動部４５を設けて、第１サイドフェンス７а、７ｂを第２サイドフェンス８а、８ｂの位置に応じて移動させるようにしている。
【００６２】
移動部４５は、正逆回転可能なステッピングモータ５１と、ステッピングモータ５１の回転軸に固定されたピニオン４９と、ピニオン４９に挟み込むように歯合する一対のラック４７а、４７ｂとから構成されている。ラック４７аは第１サイドフェンス７аに固定されており、ラック４７ｂは第１サイドフェンス７ｂに固定されている。
【００６３】
即ち、サイドフェンス７а、７ｂ同士は、ステッピングモータ５１の正逆回転により、互いに近づく向き又は互いに遠ざかる向き（原稿幅方向）に移動可能となっている。尚、ステッピングモータ５１は、図８に示すように、ＣＰＵ３５に接続されて制御されるようになっている。
【００６４】
第１原稿トレイ部１には、第１サイドフェンス７а、７ｂの原稿幅方向における位置を検知する第１サイドフェンスセンサ３３が設けられている。第２原稿トレイ部２には、第２サイドフェンス８а、８ｂの原稿幅方向における位置を検知する第２サイドフェンスセンサ３４が設けられている。第１サイドフェンスセンサ３３及び第２サイドフェンスセンサ３４は、送信部と受信部とを備えた超音波センサであり、超音波の送受信に要する時間により、物体（サイドフェンス）の位置を検知できるようになっている。尚、第１サイドフェンスセンサ３３及び第２サイドフェンスセンサ３４は、図８に示すように、ＣＰＵ３５に接続されている。
【００６５】
本実施の形態では、ＣＰＵ３５は、第２原稿センサ３２が検知状態であり且つ第１原稿センサ３１が検知状態から非検知状態になったときに、第１サイドフェンス７а、７ｂと第２サイドフェンス８а、８ｂとの原稿幅方向における位置を比較して、これらの位置が異なる場合に、ステッピングモータ５１を駆動して、第１サイドフェンス７а、７ｂを第２サイドフェンス８а、８ｂと同じ位置に移動させる。
【００６６】
サイドフェンス７а、７ｂ同士の間隔が、サイドフェンス８а、８ｂ同士の間隔よりも大きい場合、即ち、第１サイドフェンス７а、７ｂが第２サイドフェンス８а、８ｂよりも外側に位置する場合には、ステッピングモータ５１を正回転させて、サイドフェンス７а、７ｂ同士を互いに近づく向きに移動させる。第１サイドフェンス７а、７ｂが第２サイドフェンス８а、８ｂと同じ位置に移動したときに、ステッピングモータ５１の駆動を停止する。一方、サイドフェンス７а、７ｂ同士の間隔が、サイドフェンス８а、８ｂ同士の間隔よりも小さい場合、即ち、第１サイドフェンス７а、７ｂが第２サイドフェンス８а、８ｂよりも内側に位置する場合には、ステッピングモータ５１を逆回転させて、サイドフェンス７а、７ｂ同士を互いに遠ざかる向きに移動させる。第１サイドフェンス７а、７ｂが第２サイドフェンス８а、８ｂと同じ位置に移動したときに、ステッピングモータ５１の駆動を停止する。
【００６７】
その後、第２原稿ストッパ４を当接位置Ｍから退避位置Ｎに回動させて、第１搬送部５及び第２搬送部６を駆動して、原稿束を第２原稿セット位置Ｒから第１原稿セット位置Ｑへ搬送する。
【００６８】
本実施の形態によれば、第２原稿トレイ部２から第１原稿トレイ部１に原稿を搬送するときに、第１サイドフェンス７а、７ｂを第２サイドフェンス８а、８ｂと同じ位置に移動させるので、第２原稿トレイ部に第１原稿トレイ部にセットされた原稿束と異なる幅の原稿束がセットされても、第２原稿トレイ部にセットされた原稿束を、第２原稿トレイ部２から第１原稿トレイ部１に原稿束の側端を整合しつつ搬送できる。
【００６９】
尚、本発明は上述の実施形態に限定されず、その要旨を逸脱しない範囲で種々の変形が可能である。
【００７０】
第２原稿ストッパ４を退避位置Ｎと当接位置Ｍとの間を自動的に回動するようにしているが、これに代えて、画像形成装置本体の操作パネルに第２原稿ストッパ４を回動させるスイッチを設けて、このスイッチを操作して第２原稿ストッパ４を退避位置Ｎと当接位置Ｍとの間を任意に回動させるようにしても良い。
【００７１】
第２原稿ストッパ４を当接位置Ｍから退避位置Ｎに回動させた後、第１搬送部５及び第２搬送部６を自動的に駆動しているが、これに代えて、画像形成装置本体の操作パネルに
第１搬送部５及び第２搬送部６の駆動スイッチを設けて、このスイッチを操作して第１搬送部５及び第２搬送部６を任意に駆動及び駆動停止できるようにしても良い。
【００７２】
第２原稿ストッパ４を退避位置Ｎと当接位置Ｍとの間を自動的に回動するようにしているが、これに加えて、画像形成装置本体の操作パネルに第２原稿ストッパ４を回動させるスイッチを設けて、このスイッチを操作して第２原稿ストッパ４を退避位置Ｎと当接位置Ｍとの間を任意に回動させるようにしても良い。第１実施の形態、第３実施の形態及び第４実施の形態において、第１原稿トレイ部１と第２原稿トレイ部２とに原稿束をセットして搬送した後、前記スイッチを操作して第２原稿ストッパ４を当接位置Ｍから退避位置Ｎへ回動させることにより、Ｂ４サイズ以上の大きさの原稿を第１原稿トレイ部１と第２原稿トレイ部２とに跨いでセットすることができる。
【００７３】
第２原稿ストッパ４は、当接位置Ｍと退避位置Ｎとの間を回動（変位）する構成になっているが、これに代えて、第２原稿ストッパ４が第２原稿トレイ部２の原稿載置面に対して直交する方向にスライドして、当接位置と退避位置との間を移動（変位）する構成にしても良い。
【００７４】
第１搬送部５は、駆動ローラ５а、従動ローラ５ｂ及び搬送ベルト５ｃから構成されているが、これに代えて、原稿束を搬送する搬送ローラ（１つ又は複数）で構成しても良い。
【００７５】
第１搬送部５は、一組の、駆動ローラ５а、従動ローラ５ｂ及び搬送ベルト５ｃから構成されているが、これに限らず、２組以上の、駆動ローラ５а、従動ローラ５ｂ及び搬送ベルト５ｃから構成しても良い。
【００７６】
第２搬送部６は、搬送ローラ６а及び搬送ローラ６ｂから構成されているが、これに代えて、駆動ローラ、従動ローラ、及びこれらのローラに巻き掛けられた搬送ベルトから構成しても良い。
【００７７】
第２搬送部６は、２つの搬送ローラ６а、６ｂから構成されているが、これに限らず、１つ又は３つ以上の搬送ローラで構成しても良い。
【００７８】
第１原稿センサ３１及び第２原稿センサ３２として超音波センサを用いているが、これに代えて、光学センサを用いても良い。
【００７９】
第１実施の形態では、第１原稿トレイ部１の原稿搬送方向における寸法を、Ａ４サイズ用紙の長手方向の寸法よりも長く且つＢ４サイズ用紙の長手方向の寸法よりも短くしているが、これに限らず、例えば、Ｂ５サイズ用紙の長手方向の寸法よりも長く且つＡ４サイズ用紙の長手方向の寸法よりも短くしても良い。
【００８０】
第１実施の形態では、第２原稿トレイ部２の原稿搬送方向における寸法を、Ｂ５サイズ用紙の長手方向の寸法よりも長く且つＡ４サイズ用紙の長手方向の寸法よりも短くしているが、これに限らず、例えば、Ａ４サイズ用紙の長手方向の寸法よりも長く且つＢ４サイズ用紙の長手方向の寸法よりも短くしても良い。
【００８１】
第２実施の形態では、第１原稿トレイ部１の原稿搬送方向における寸法を、Ａ３サイズ用紙の長手方向の寸法よりも長くしているが、これに限らず、例えば、Ｂ４サイズ用紙の長手方向の寸法よりも長く且つＡ３サイズ用紙の長手方向の寸法よりも短くしても良い。
【００８２】
第３実施の形態では、補助トレイ部９を面積増大位置Ｘと折り畳み位置Ｙとの間を回動するように設けているが、これに代えて、補助トレイ部９を面積増大位置と第２原稿トレイ部本体に収納される収納位置との間をスライドするように設けても良い。
【図面の簡単な説明】
【００８３】
【図１】第１実施の形態に係る自動原稿搬送装置の概略的構成を示す縦断面図である。
【図２】第１実施の形態に係る自動原稿搬送装置の制御を示すフローチャートである。
【図３】第１実施の形態に係る自動原稿搬送装置の制御の構成を示すブロック図である。
【図４】第１実施の形態に係る画像形成装置の概略的構成を示す斜視図である。
【図５】第２実施の形態に係る自動原稿搬送装置の概略的構成を示す縦断面図である。
【図６】第３実施の形態に係る自動原稿給送装置の概略的構成を示す縦断面図である。
【図７】第４実施の形態に係る第１サイドフェンスの移動部の構成を示す縦断面図である。
【図８】第４実施の形態に係る自動原稿搬送装置の制御の構成を示すブロック図である。
【符号の説明】
【００８４】
１              第１原稿トレイ部
２              第２原稿トレイ部
４              第２原稿ストッパ（原稿ストッパ）
５              第１搬送部
６              第２搬送部
７а、７ｂ      第１サイドフェンス
８а、８ｂ      第２サイドフェンス
２６            画像読取位置
３１            第１原稿センサ
３２            第２原稿センサ
３３            第１サイドフェンスセンサ
３４            第２サイドフェンスセンサ
４５            移動部
Ｇ１            第１原稿トレイ部にセットされた原稿束
Ｇ２            第２原稿トレイ部にセットされた原稿束
Ｈ１            第１原稿トレイ部にセットされた原稿束
Ｈ２            第２原稿トレイ部にセットされた原稿束
Ｍ              当接位置
Ｎ              退避位置
Ｑ              第１原稿セット位置
Ｒ              第２原稿セット位置
Ｘ              面積増大位置
Ｙ              折り畳み位置
【図１】
2009298549.tif 000003
【図２】
2009298549.tif 000004
【図３】
2009298549.tif 000005
【図４】
2009298549.tif 000006
【図５】
2009298549.tif 000007
【図６】
2009298549.tif 000008
【図７】
2009298549.tif 000009
【図８】
2009298549.tif 000010